(57)【特許請求の範囲】
【請求項１】
車体（８）の後方に左右に配列される偶数個の苗植付装置（１８）及び該苗植付装置（１８）に苗を供給すべく左右移動する苗載台（１７）をリンク機構（１４）によって昇降可能に設け、車体（８）の操縦席（１１）と苗載台（１７）との間に設けた施肥ホッパ−（２０）から繰り出された肥料を機体背面視で苗植付装置（１８）の側方に設けた施肥口（２４）へ案内する施肥パイプ（２２）を苗載台（１７）に沿って設けると共に、苗植機体（１６）に設けられ定位置で回転する左右一対の駆動アーム（３８）が苗載台（１７）と共に左右移動する縦送アーム（３７）に苗載台（１７）の左右移動端で係合することにより、苗載台（１７）上の苗を苗植付装置（１８）側へ送る苗搬送装置（３６）を駆動する偶数条植えの苗植機において、
それぞれの苗植付装置（１８）に対応する施肥口（２４）のうち、中央２条の植付条に対応する２つの中央側施肥口（２４，２４）とその左右外側の植付条に対応する外側施肥口（２４，２４）は、前記２つの中央側施肥口（２４）どうしの間隔よりも左右それぞれの中央側施肥口（２４）と外側施肥口（２４）との間隔が広くなるよう構成し、機体背面視で前記中央側施肥口（２４）と外側施肥口（２４）との間隔内に前記左右一対の駆動アーム（３８）及び縦送アーム（３７）を配置したことを特徴とする偶数条植えの苗植機。
【発明の詳細な説明】
【０００１】
【産業上の利用分野】
この発明は、苗植機に関する。
【０００２】
【従来の技術、及び発明が解決しようとする課題】
従来、施肥ホッパ−から繰り出された肥料を機体背面視で苗植付装置の側方に設けた施肥口へ案内する肥料案内体を設けると共に、苗植付装置に苗を供給すべく左右移動する苗載台の左右移動端で該苗載台上の苗を苗植付装置側へ送る苗搬送装置を備える複数条植えの苗植機がある。この苗植機においては、苗植付位置の近くに施肥口が配置されるため、施肥口や該施肥口へ肥料を案内する肥料案内体等が苗搬送装置の近くに配置され、前記施肥口や肥料案内体等が苗搬送装置への駆動機構に干渉したり、施肥口や肥料案内体等が苗搬送装置の伝動機構に干渉しないようにすべく苗載台の位置が制限され、機体のコンパクト化を阻害したり機体の重量バランスを悪化させたりするおそれがある。
【０００３】
この発明は、苗搬送装置への駆動機構を施肥口や肥料案内体等に制限されないように配置し、機体のコンパクト化を図るものである。
【０００４】
【課題を解決するための手段】
この発明は、車体（８）の後方に左右に配列される偶数個の苗植付装置（１８）及び該苗植付装置（１８）に苗を供給すべく左右移動する苗載台（１７）をリンク機構（１４）によって昇降可能に設け、車体（８）の操縦席（１１）と苗載台（１７）との間に設けた施肥ホッパ−（２０）から繰り出された肥料を機体背面視で苗植付装置（１８）の側方に設けた施肥口（２４）へ案内する施肥パイプ（２２）を苗載台（１７）に沿って設けると共に、苗植機体（１６）に設けられ定位置で回転する左右一対の駆動アーム（３８）が苗載台（１７）と共に左右移動する縦送アーム（３７）に苗載台（１７）の左右移動端で係合することにより、苗載台（１７）上の苗を苗植付装置（１８）側へ送る苗搬送装置（３６）を駆動する偶数条植えの苗植機において、それぞれの苗植付装置（１８）に対応する施肥口（２４）のうち、中央２条の植付条に対応する２つの中央側施肥口（２４，２４）とその左右外側の植付条に対応する外側施肥口（２４，２４）は、前記２つの中央側施肥口（２４）どうしの間隔よりも左右それぞれの中央側施肥口（２４）と外側施肥口（２４）との間隔が広くなるよう構成し、機体背面視で前記中央側施肥口（２４）と外側施肥口（２４）との間隔内に前記左右一対の駆動アーム（３８）及び縦送アーム（３７）を配置したことを特徴とする偶数条植えの苗植機の構成とする。
【０００５】
【作用、及び発明の効果】
この苗植機は、機体背面視で２つの中央側施肥口２４どうしの間隔よりも広くなる左右それぞれの中央側施肥口２４と外側施肥口２４との間隔内に設けた前記左右一対の駆動アーム３８及び縦送アーム３７により苗搬送装置３６を駆動して苗載台１７上の苗を苗植付装置１８側へ送る。
【０００６】
従って、機体背面視で施肥口２４ひいては施肥パイプ２２どうしの間隔が広いところに左右一対の駆動アーム３８及び縦送アーム３７を収めることができ、左右一対の駆動アーム３８及び縦送アーム３７を施肥口２４及び施肥パイプ２２と対向しないように配置でき、施肥口２４及び施肥パイプ２２等が左右一対の駆動アーム３８及び縦送アーム３７に干渉するのを防止できるばかりでなく、左右一対の駆動アーム３８及び縦送アーム３７の調節やメンテナンス等を容易に行うことができ、また前記施肥口２４及び施肥パイプ２２等と左右一対の駆動アーム３８及び縦送アーム３７との位置関係により苗載台１７の位置が制限されることもなく、機体のコンパクト化、重量バランスの向上を図ることができる。
【０００７】
【実施例】
トラクタ車体８は、ステアリングハンドル９によって操向自在の前車輪３と後車輪１０とを有し、操縦席１１下のエンジンＥによって伝動走行する四輪駆動走行形態である。車体８前部のステアリングポスト５の左右両側部から後部の操縦席１１の左右両側部に亘って操縦フロア１３を設け、操縦者が移動でき易くしている。２７ａは、後輪ロ−リング軸、１０ａは、後車輪１０，１０の車軸が突出する左右のリヤケ−ス１０ｂ，１０ｂを横につなぐ後輪フレ−ムである。後車輪１０，１０は、機体に対して後輪ロ−リング軸２７ａまわりにロ−リングできるようになっている。
【０００８】
苗植装置１２は、この車体８の後方に平行リンク機構１４によって昇降自在にして連結され、この平行リンク機構１４を油圧によるリフトシリンダ１５の伸縮で車体８に対して上下回動することにより、昇降制御される。又、この苗植装置１２は、苗植機体１６に、土壌面を接地滑走するフロート２５と、マット状の苗を収容して一定間隔左右へ往復移動しながら傾斜の後下端部へ縦送りして苗供給する苗載台１７、及び、この苗載台１７から供給される苗を分離挿植する苗植付装置１８等から多条植形態として構成される。
【０００９】
車体８の操縦席１１と苗載台１７との間には、苗植付土壌面に施肥する施肥装置１９を設けている。この施肥装置１９は、苗載台１７の移動幅方向に沿う施肥ホッパー２０と、この施肥ホッパー２０の収容肥料を繰出す繰出装置２１と、この繰出される肥料を送風によって施肥パイプ２２に案内させて移送する送風機２３等からなり、施肥パイプ２２の先端部の施肥口２４は、各フロート２５の均平部の後側で苗植付位置近くの土壌中に施肥するように開口している。前記車体８は、フロントアクスルハウジング１の中央部の前部伝動ケース２６と、リヤアクスルハウジング中央部の後部伝動ケースとの間が、縦フレーム２７で連結されて、これら伝動ケースや縦フレーム２７等の内部の伝動機構を介して前車輪３や後車輪１０等を一定の関係に伝動しうる。
【００１０】
フロントアクスルハウジング１の左右端には、下方に向けて適宜高さのファイナルケース２が一体的に構成され、このファイナルケース２の下側に上下方向のキンクピン軸心回りに操向自在の操向ケース２８を設け、この操向ケース２８の外側に前車軸２９によって軸装する前車輪３を操向できる構成である。
【００１１】
左右のファイナルケース２の上側には、クランク形態で前車輪３の上側から外側に亘って突出し、前記ステアリングポスト５横のフロア１３の外側に支柱部３０を有した補助苗支枠７をボルト、ナット等の締付具で取付ける。この左右の支柱部３０には、マット状の苗を載せる補助苗植６を多段形態にした苗受支柱部３１を支持し、上端部間は、ステアリングポスト５の上方部を左右にまたぐようにしてループ状に形成された連結杆部３２で連結する。
【００１２】
この苗受支柱部３１の外周部に一定間隔に配設した補助苗受６中央部のパイプ部３３を旋回自在に嵌合させて、平面視方形状で、各々複数枚宛ての苗を載せる補助苗受６を、下部のレバー３４操作によって旋回させたり固定させることができ、補助苗受６に対する苗載せや苗取出し等の行う易い向きに旋回させることができる。３５はこのレバー３４の係合できるラックを形成したラック板である。
【００１３】
このような構成の補助苗支枠７は、該支柱部３０を有するブラケット４、補助苗受６をのパイプ部３３、連結杆部３２に一体の苗受支柱部３１等で、分解組立自在の構成である。
なお、図１、図２のブラケット４は、角材をクランク状に溶接して一体構成としたものであるが、図３では厚手の板金部材をＬ字状に曲げてブラケット４の一部を構成するものである。又、各ブラケット４、補助苗支枠７は、一体的に連結して、ファイナルケース２等と共に剛体的構成とするもよい。
【００１４】
苗植作業中に苗載台１７の苗量が少なくなると、その場で苗植を一旦停止して、操縦者が補助苗受６上の苗を一枚毎取出して後側の苗載台１７へ供給する。
補助苗受６に載せられた苗重量は、この補助苗支枠７及びブラケット４を介してフロントアクスルハウジング１のファイナルケース２に支持されるものであるから、前車輪３に直接支持される。又、これらの左右上端部間は、ループ状に連結されているために、重量物である苗を受けた補助苗受６が前車輪３の上方から外側へ突出した姿勢に支持されていても安定した支持を行い、ブラケット４やこのファイナルケース２に対する取付部等に無理を与えない。
【００１５】
また、図４、図５に示すように、前記施肥パイプ２２の施肥口２４を、各苗植付装置１８による苗植付条のフロート２５寄りに設定し、これに対して苗載台１７の苗搬送装置３６の縦送アーム３７を駆動する左右一対の駆動アーム３８を、該施肥口２４の位置されない苗植条間部に対向して設けることによって、施肥口２４や施肥パイプ２２等の設置を容易にする。
【００１６】
多条植形態のフロート２５は、各苗植付装置１８の挿苗位置の土壌面を均平するため、フロート前部４１を幅広く形成し、フロート後部を幅狭く形成して、このフロート後部３９を、左右の相隣接する苗植付装置１８間に位置させる。又、フロート２５が複数個配設される形態となるから、各フロート２５間においては、このフロート後部３９の位置されない苗植条間となる。
【００１７】
前記各施肥パイプ２２の先端部をのぞませて土壌面に施肥溝を切りながら施肥案内する施肥口２４は、各フロート２５のフロート後部３９の各苗植付装置１８側に取付け、苗Ａの植付条に接近した位置に施肥する。このとき、苗植付装置１８の左右両側部にフロート後部３９が位置するフロート形態であるときは、いずれか片側にのみ施肥する構成とする。
【００１８】
このような施肥口２４の設置位置に対して、前記苗縦送用の左右一対の駆動アーム３８は、苗植機体１６の該施肥口２４の位置しない苗Ａ植付条間部に対向して設けられる。
図例では８条植形態の苗植機であるが、苗載台１７は左右４条毎に駆動される苗搬送装置３６及び縦送アーム３７を有し、苗載台１７と一体的に左右一定幅に亘り往復移動される。この移動中は苗搬送装置３６は停止していて苗の縦送を行わないが、左右横端に達すると、この苗搬送装置３６の縦送アーム３７が定位置で回転する左右一対の駆動アーム３８によって係合駆動されて、苗を一定間隔苗植付装置１８側へ縦送りするものである。この左右一対の駆動アーム３８は、苗植機体１６において定位置で伝動回転され、左右の隣接フロート２５間の間隔部に位置して設けられる。
【００１９】
このような左右の隣接フロート２５間では、施肥口２４が苗植付装置１８のフロート後部３９側に位置するため、苗載台１７の下側でフロート２５上面部との間隔が高く開いているために、駆動アーム３８やこのアーム軸４０等の設置や回転等の邪魔になり難く、従って、施肥口２４の設置も容易である。
【図面の簡単な説明】
【図１】要部の正面図。
【図２】苗植機の側面図。
【図３】苗植機の斜視図。
【図４】その平面図。
【図５】苗植装置部の背面図。
【符号の説明】
８  車体
１１  操縦席
１７  苗載台
１８  苗植付装置
２０  施肥ホッパ−
２２  施肥パイプ
２４  施肥口
３６  苗搬送装置
３７  縦送ア−ム
３８  駆動ア−ム
【図１】
0003914695.tif 000002
【図２】
0003914695.tif 000003
【図３】
0003914695.tif 000004
【図４】
0003914695.tif 000005
【図５】
0003914695.tif 000006